(57)【要約】【課題】撮影画像を劣化させることなく、所定容量の記録媒体に対して記録可能な画像数を増加させる。【解決手段】現像処理範囲が指定されたか否かに応じて、イメージセンサ１で規定される有効な画素領域、又は当該有効な画素領域も小さい、画像エリア設定部８により設定される特定画素領域において、イメージセンサ１より得られる非現像かつ非圧縮の画像データを現像及び圧縮し記録媒体７に記録するようにして、設定された画像処理範囲のみ画像処理を行って記録可能にし、撮影画像を劣化させることなく、より多くの画像を所定容量の記録媒体に保存できるようにする。【選択図】図１
2008005350.tif 000002
【特許請求の範囲】
【請求項１】
撮像素子と、
前記撮像素子から出力されるＲＡＷ画像データを記憶する第１の記憶手段と、
前記撮像素子によって撮像される画像の画像処理範囲を設定する画像処理範囲設定手段と、
前記第１の記憶手段に記憶されるＲＡＷ画像データのうち、前記画像処理範囲設定手段にて設定された画像処理範囲に対応するＲＡＷ画像データにのみ画像処理を行う画像処理手段と、
前記画像処理手段の出力を記憶する第２の記憶手段とを有することを特徴とする撮像装置。
【請求項２】
前記画像処理範囲設定手段は、前記第１の記憶手段に記憶されている画像信号を画像処理して表示する手段を有することを特徴とする請求項１に記載の撮像装置。
【請求項３】
前記画像処理手段が行う画像処理には、ホワイトバランス処理、ガンマ変換処理、色変換処理、圧縮処理の少なくとも１つを含むことを特徴とする請求項１又は２に記載の撮像装置。
【請求項４】
前記画像処理手段が前記ＲＡＷ画像データを画像処理する際のパラメータを設定するパラメータ設定手段を有し、
前記パラメータ設定手段は、前記画像処理範囲設定手段にて画像処理範囲が設定される場合に前記画像処理手段の画像処理パラメータを設定することができることを特徴とする請求項１〜３の何れか１項に記載の撮像装置。
【請求項５】
撮像素子と、ＲＡＷ画像データを記憶する第１の記憶手段と、前記ＲＡＷ画像データに画像処理を行う画像処理手段と、前記画像処理手段の出力を記憶する第２の記憶手段とを有する撮像装置の制御方法であって、
前記撮像素子から出力されるＲＡＷ画像データを前記第１の記憶手段に記憶する第１の記憶ステップと、
前記撮像素子によって撮像される画像の画像処理範囲を設定する画像処理範囲設定ステップと、
前記第１の記憶手段に記憶されるＲＡＷ画像データのうち、前記画像処理範囲設定ステップにて設定された画像処理範囲に対応するＲＡＷ画像データにのみ前記画像処理手段によって画像処理を行う画像処理ステップと、
前記画像処理ステップでの出力を前記第２の記憶手段に記憶する第２の記憶ステップとを有することを特徴とする撮像装置の制御方法。
【請求項６】
撮像素子と、ＲＡＷ画像データを記憶する第１の記憶手段と、前記ＲＡＷ画像データに画像処理を行う画像処理手段と、前記画像処理手段の出力を記憶する第２の記憶手段とを有する撮像装置の制御方法をコンピュータに実行させるためのプログラムであって、
前記撮像素子から出力されるＲＡＷ画像データを前記第１の記憶手段に記憶する第１の記憶ステップと、
前記撮像素子によって撮像される画像の画像処理範囲を設定する画像処理範囲設定ステップと、
前記第１の記憶手段に記憶されるＲＡＷ画像データのうち、前記画像処理範囲設定ステップにて設定された画像処理範囲に対応するＲＡＷ画像データにのみ前記画像処理手段によって画像処理を行う画像処理ステップと、
前記画像処理ステップでの出力を前記第２の記憶手段に記憶する第２の記憶ステップとをコンピュータに実行させるためのプログラム。
【請求項７】
請求項６記載のプログラムを記録したことを特徴とするコンピュータ読み取り可能な記録媒体。
【発明の詳細な説明】
【技術分野】
【０００１】
本発明は、撮像装置及びその制御方法に関し、詳しくは撮影画像の記録技術に関する。
【背景技術】
【０００２】
デジタルカメラにおいては、撮影前に設定されている現像パラメータや画像の圧縮率に従って、撮像及び画像の記録が行われる。撮影により得られる画像の画素数は、デジタルカメラが備えるイメージセンサにより規定され、そのサイズで撮像及び画像の記録が行われる。また、ユーザーは、撮影条件や被写体の条件等に応じて、現像パラメータを予め設定して撮影を行っている（特許文献１参照）。
【０００３】
【特許文献１】特開２００５−２６０４４２号公報
【発明の開示】
【発明が解決しようとする課題】
【０００４】
デジタルカメラには撮影した画像を記録するためにフラッシュメモリ等の記録媒体が取り付けられ、その記録媒体の容量及び記録する画像の１枚当たりのデータ量によって撮影可能枚数（記録可能な画像数）が決まる。ユーザーは、決められた記録媒体の容量に対して撮影可能枚数を増やしたい場合には、画像の圧縮率が大きくなるように設定を行って１画像当たりのデータ量を下げる必要がある。ただし、この場合には元画像よりも情報を低減させることになり、記録される画像は劣化する方向となる。また、それ以外の方法で撮影可能枚数を増やすには、取り外し可能なフラッシュメモリ等の記録媒体の容量を増やすしかない。
【０００５】
本発明は、このような事情に鑑みてなされたものであり、撮影により得られる画像を劣化させることなく、所定容量の記録媒体に対して記録可能な画像数を増加させることを目的とする。
【課題を解決するための手段】
【０００６】
本発明に係る撮像装置は、撮像素子と、前記撮像素子から出力されるＲＡＷ画像データを記憶する第１の記憶手段と、前記撮像素子によって撮像される画像の画像処理範囲を設定する画像処理範囲設定手段と、前記第１の記憶手段に記憶されるＲＡＷ画像データのうち、前記画像処理範囲設定手段にて設定された画像処理範囲に対応するＲＡＷ画像データにのみ画像処理を行う画像処理手段と、前記画像処理手段の出力を記憶する第２の記憶手段とを有することを特徴とする。
また、本発明に係る撮像装置の制御方法は、撮像素子と、ＲＡＷ画像データを記憶する第１の記憶手段と、前記ＲＡＷ画像データに画像処理を行う画像処理手段と、前記画像処理手段の出力を記憶する第２の記憶手段とを有する撮像装置の制御方法であって、前記撮像素子から出力されるＲＡＷ画像データを前記第１の記憶手段に記憶する第１の記憶ステップと、前記撮像素子によって撮像される画像の画像処理範囲を設定する画像処理範囲設定ステップと、前記第１の記憶手段に記憶されるＲＡＷ画像データのうち、前記画像処理範囲設定ステップにて設定された画像処理範囲に対応するＲＡＷ画像データにのみ前記画像処理手段によって画像処理を行う画像処理ステップと、前記画像処理ステップでの出力を前記第２の記憶手段に記憶する第２の記憶ステップとを有することを特徴とする。
【発明の効果】
【０００７】
本発明によれば、撮影して得られた画像のうち、設定された画像処理範囲のみについて画像処理を行い記録媒体に記録することができ、画像を劣化させることなく、所定容量の記録媒体に従来よりも多くの画像を保存することが可能となる。
【発明を実施するための最良の形態】
【０００８】
以下、本発明の実施形態を図面に基づいて説明する。
【０００９】
（第１の実施形態）
図１は、本発明の第１の実施形態による撮像装置の一例であるデジタルカメラの構成例を示すブロック図である。なお、図１においては、本実施形態に係るデジタルカメラの基本的な構成のみを図示し、例えば、ユーザーが操作を行うための操作部等、デジタルカメラが一般的に備える他の構成については図示を省略している。
第１の実施形態におけるデジタルカメラは、イメージセンサ１、Ａ／Ｄ変換器２、タイミングジェネレーター３、ＤＳＰ４、記憶部５、表示部６、記録媒体７、及び画像エリア設定部８を有する。
【００１０】
イメージセンサ１は、複数の画素を備えた撮像素子であり、被写体の光学像を光電変換することによりアナログの電気信号として取り出す。イメージセンサ１としては、例えばＣＭＯＳセンサが用いられる。Ａ／Ｄ（アナログ−デジタル）変換器２は、イメージセンサ１より得られたアナログ信号をデジタルデータへ変換する。
【００１１】
タイミングジェネレーター３は、イメージセンサ１の撮像駆動制御を行うとともに、イメージセンサ１で得られるアナログ信号をＡ／Ｄ変換器２へクロック同期制御により転送させている。また、タイミングジェネレーター３は、ＤＳＰ４からのクロック信号に基づいて、Ａ／Ｄ変換器２からＤＳＰ４へのデジタル画像データの転送制御を行っている。
【００１２】
ＤＳＰ（digital signal processor）４は、供給されるデジタル画像データに係る各種処理を行う。例えば、ＤＳＰ４は、供給されるデジタル画像データの現像及び圧縮を行う。
【００１３】
記憶部５は、データを一時的に記憶可能なＲＡＭ（Random Access Memory）等の記憶素子で構成される。記憶部５は、Ａ／Ｄ変換器２より得られた無加工状態のデジタル画像データを一時的に保持したり、Ａ／Ｄ変換器２より得られＤＳＰ４にて現像及び圧縮を行ったデジタル画像データを一時的に保持したりする。
表示部６は、例えばＴＦＴ液晶ディスプレイを用いて構成され、撮影した画像の表示や操作メニューの表示等を行っている。
【００１４】
記録媒体７は、デジタルカメラ本体より取り外し可能であるとともに、電力が供給されなくとも記録されているデータを永久的に保存可能なフラッシュメモリ等の記録媒体である。記録媒体７には、ＤＳＰ４で現像及び圧縮が行われたデジタル画像データが記録される。
【００１５】
画像エリア設定部８は、記憶部５に一時的に保持したデジタル画像データに係る画像において、記録媒体７に記録する画像の領域を指定する。画像エリア設定部８により領域が指定された場合には、ＤＳＰ４は、指定された領域を現像範囲として当該領域についてのみデジタル画像データの現像及び圧縮を行って記録媒体７に記録する。
【００１６】
次に、図２を参照して、第１の実施形態における撮像から記録までの画像の流れについて説明する。なお、イメージセンサ１で撮像した画像（非現像及び非圧縮の無加工状態の画像）を「ＲＡＷ画像」と称し、その画像データを「ＲＡＷデータ」と称す。
【００１７】
イメージセンサ１により取り込まれた画像（撮像した画像）は、ＲＡＷ画像として、そのデジタル画像データ（ＲＡＷデータ）が一時的に記憶可能な記憶部５内の第１の一時記憶エリア１５に保存される。
【００１８】
ＤＳＰ４は、比較的高い圧縮率でＲＡＷデータの現像及び圧縮を行い、表示用画像（VIEW_IMAGE）データとして記憶部５内の第３の一時記憶エリア１７に保存する。これにより、図１に示したデジタルカメラは、表示用画像として、表示用画像（VIEW_IMAGE）データに係る画像を表示部６に表示することが可能となる。ここで、第３の一時記憶エリア１７に保存される編集済表示用画像（Edit_VIEW_IMAGE）データは、画像エリア設定部８により設定した領域に係る表示用画像である。
【００１９】
また、ＤＳＰ４は、イメージセンサ１で規定される有効な画素領域についてＲＡＷデータの現像及び圧縮を行い、記録用画像（IMAGE）データとして記憶部５内の第２の一時記憶エリア１６に保存する。もしくは、ＤＳＰ４は、イメージセンサ１で規定される有効な画素領域の大きさよりも小さな特定の画素領域でのみＲＡＷデータの現像及び圧縮を行い、編集済記録用画像（Edit_IMAGE）データとして第２の一時記憶エリア１６に保存する。なお、その特定の画素領域は、画像エリア設定部８により設定する。また、ＤＳＰ４は、記憶部５内の第２の一時記憶エリア１６に一時的に保存した画像データを、永久的に記憶可能な記録媒体７（例えば、フラッシュメモリ等）に記録する。  また、前記第１〜第３の一時記憶エリアのデータは、次回の撮影におけるデータにより上書きされる迄、保存されている。
【００２０】
次に、図３を参照して、本実施形態において現像及び圧縮が行われる画素領域の設定について説明する。
図３において、画像Ａ（IMAGE A）２５は、イメージセンサ１のサイズで規定される画素領域に係る画像であり、画像のデータ量としては最大となる。画像２０は、画像Ａ２５が表示部６に表示された画像とする。
【００２１】
画像Ｂ（IMAGE B）２６は、イメージセンサ１で規定される画素領域よりも小さな画素領域に係る画像であり、２１は現像処理範囲を決定するための始点であり、２２は現像処理範囲を決定するための終点である。また、画像Ｃ（IMAGE C）２７は、イメージセンサ１で規定される画素領域よりも小さな画素領域に係る画像で、この例においては、最小の画像データ量となるものである。この画像Ｃ２７の現像処理範囲を決定するための始点が２３であり、終点が２４である。
【００２２】
現像処理範囲における始点２１、２３及び終点２２、２４は、画像エリア設定部８により設定可能であり、始点及び終点を結ぶ線分を対角線とする矩形が現像処理範囲として設定される。
【００２３】
次に、第１の実施形態におけるデジタルカメラの動作について説明する。図４は、第１の実施形態におけるデジタルカメラの撮影動作に係る処理を示すフローチャートである。
【００２４】
ユーザー（撮影者）によりＴｖ値、Ａｖ値、ストロボの有無等、撮影条件の設定が行われ（Ｓ１）、レリーズ釦を押下され撮影が指示されると、デジタルカメラは、イメージセンサ１により撮像を行う（Ｓ２）。イメージセンサ１により撮像された画像は、アナログ信号からデジタル画像データへＡ／Ｄ変換器２等により変換された後に、ＲＡＷデータとして第１の一時記憶エリア１５に一時的に保存する（Ｓ３）。
【００２５】
次に、ＤＳＰ４は、撮影画像の表示を表示部６にて行うために、第１の一時記憶エリア１５に一時的に保存されたＲＡＷデータを比較的高い圧縮率で現像及び圧縮を行う。ＤＳＰ４は、現像及び圧縮を行って得られる表示用画像（VIEW_IMAGE）データを第３の一時記憶エリア１７に一時的に保存する（Ｓ４，Ｓ５）。なお、現像処理とは、ＲＡＷデータに対するＡＷＢ（オートホワイトバランス）処理、ガンマ変換処理、色変換処理を含む各種現像処理を指す。続いて、ＤＳＰ４は、現像及び圧縮を行って第３の一時記憶エリア１７に保存した表示用画像（VIEW_IMAGE）データに基づいて、撮影画像を表示部６に表示する（Ｓ６）。
【００２６】
ユーザーは、表示部６に表示されたこの画像を認識した上で、現像処理範囲を設定する場合には画像エリア設定部８を用いて現像処理範囲の設定を行う。ＤＳＰ４は、ユーザーによる現像処理範囲の設定が行われたか否かを判断する（Ｓ７）。
【００２７】
判断の結果、現像処理範囲の設定が行われた場合には、ＤＳＰ４は、画像エリア設定部８により設定された画素領域を現像処理範囲として設定する（Ｓ８）。そして、ＤＳＰ４は、第１の一時記憶エリア１５に一時的に保存された撮影画像のＲＡＷデータのうち、ステップＳ８にて現像処理範囲として設定された特定の画素領域においてのみ現像及び圧縮を行う。ＤＳＰ４は、現像及び圧縮を行って得られる編集済記録用画像（Edit_IMAGE）データを第２の一時記憶エリア１６に保存する（Ｓ９、Ｓ１０）。第２の一時記憶エリア１６に保存された編集済記録用画像（Edit_IMAGE）データを記録媒体７（例えばフラッシュメモリ等のメディア）に記録する（Ｓ１１）。これにより、撮影画像の中でユーザーが設定した現像処理範囲のみを現像及び圧縮して記録媒体７に記録することができる。
【００２８】
また、ＤＳＰ４は、その一方で、第１の一時記憶エリア１５に保存された撮影画像のＲＡＷデータのうち、現像処理範囲として設定された特定の画素領域に対して比較的高い圧縮率で現像及び圧縮を行う。ＤＳＰ４は、前記現像及び圧縮を行って編集済表示用画像（Edit_VIEW_IMAGE）データを作成して、第３の一時記憶エリア１７に保存する（Ｓ１２、Ｓ１３）。そして、ＤＳＰ４は、第３の一時記憶エリア１７に保存した編集済表示用画像（Edit_VIEW_IMAGE）データに基づいて、撮影画像における設定された現像処理範囲のみを表示部６に表示する（Ｓ１４）。
【００２９】
ステップＳ７での判断の結果、現像処理範囲が特に指定されていない場合には、ＤＳＰ４は、イメージセンサ１で規定された画素領域においてＲＡＷデータの現像及び圧縮を行う。ＤＳＰ４は、現像及び圧縮を行って得られる編集済記録用画像（Edit_IMAGE）データを第２の一時記憶エリア１６に保存する（Ｓ１５、Ｓ１６）。第２の一時記憶エリア１６に保存された編集済記録用画像（Edit_IMAGE）データを記録媒体７に記録する（Ｓ１７）。また、ＤＳＰ４は、ステップＳ５にて、第３の一時記憶エリア１７に保存した表示用画像（VIEW_IMAGE）データに基づいて、撮影画像を表示部６に表示する（Ｓ１８）。
【００３０】
第１の実施形態によれば、ＤＳＰ４は、画像エリア設定部８により現像処理範囲が指定されていない場合には、イメージセンサ１で規定された画素領域に係るＲＡＷデータを現像及び圧縮して、記録媒体７に記録する。一方、画像エリア設定部８により現像処理範囲が指定された場合には、ＤＳＰ４は、現像処理範囲として指定された特定の画素領域だけを現像及び圧縮して記録媒体７に記録する。
【００３１】
これにより、撮像した画像の中で必要な部分のみを切り出して記録媒体７に記録することが可能となり、画像の品質を維持しながらも１画像当たりのデータ量を低減し、決められた容量の記録媒体に従来よりも多くの画像を保存可能となる。したがって、撮影画像を劣化させることなく、所定容量の記録媒体に対して記録可能な画像数を増加させることができる。
【００３２】
（第２の実施形態）
次に、本発明の第２の実施形態について説明する。
【００３３】
図５は、第２の実施形態による撮像装置の一例であるデジタルカメラの構成例を示すブロック図である。なお、図５においては、本実施形態に係るデジタルカメラの基本的な構成のみを図示し、例えば、ユーザーが操作を行うための操作部等、デジタルカメラが一般的に備える他の構成については図示を省略している。また、図５において、図１に示したブロック等と同一の機能を有するブロック等には同一の符号を付している。
【００３４】
図５に示す第２の実施形態におけるデジタルカメラは、図１に示した第１の実施形態におけるデジタルカメラに対して、現像パラメータ設定部３１をさらに有する。現像パラメータ設定部３１は、ホワイトバランス、コントラスト、エッジ強調等の現像パラメータを設定する。ＤＳＰ４は、現像パラメータ設定部３１により設定した現像パラメータに従って、イメージセンサ１より得られたＲＡＷ画像（より詳細にはＲＡＷデータ）の現像及び圧縮を行い記憶部５や記録媒体７に記録することになる。他の構成に関しては、図１に示した第１の実施形態におけるデジタルカメラと同様であるので、重複する説明は省略する。
【００３５】
次に、図６を参照して、第２の実施形態における撮像から記録までの画像の流れについて説明する。イメージセンサ１で撮像して得られる非現像及び非圧縮の無加工状態の画像を「ＲＡＷ画像」と称し、その画像データを「ＲＡＷデータ」と称す。
イメージセンサ１により取り込まれた画像は、ＲＡＷ画像として、そのデジタル画像データ（ＲＡＷデータ）が一時的に記憶可能な記憶部５内の第１の一時記憶エリア４０に保存される。
【００３６】
ＤＳＰ４は、比較的高い圧縮率でＲＡＷデータの現像及び圧縮を行い、表示用画像（VIEW_IMAGE）データとして記憶部５内の第３の一時記憶エリア４２に保存する。これにより、デジタルカメラは、表示用画像として、表示用画像（VIEW_IMAGE）データに係る画像を表示部６に表示することが可能となる。ここで、第３の一時記憶エリア１７に保存される編集済表示用画像（Edit_VIEW_IMAGE）データは、画像エリア設定部８により設定した領域に係る表示用画像である。
【００３７】
また、ＤＳＰ４は、画像エリア設定部８により設定した、イメージセンサ１で規定された画素領域の大きさよりも小さな特定の画素領域において、現像パラメータ設定部３１により設定した現像パラメータでＲＡＷデータの現像及び圧縮を行う。そして、得られたデジタル画像データを編集済記録用画像データとして記憶部５内の第２の一時記憶エリア４１に保存する。なお、現像処理とは、ＲＡＷデータに対するＡＷＢ（オートホワイトバランス）処理、ガンマ変換処理、色変換処理を含む各種現像処理を指す。
【００３８】
具体的には、ＤＳＰ４は、撮影時に現像パラメータ設定部３１により設定した第１の現像パラメータで、特定の画素領域に係るＲＡＷデータの現像及び圧縮を行い、編集済記録用画像（Edit1_IMAGE）データとして第２の一時記憶エリア４１に保存する。もしくは、第１の現像パラメータとは異なる第２の現像パラメータを設定し、ＤＳＰ４は、第２の現像パラメータで特定画素領域のＲＡＷデータの現像、圧縮を行い、編集済記録用画像（Edit2_IMAGE）データとして第２の一時記憶エリア４１に保存する。なお、図示していないが、ＤＳＰ４は、第１の現像パラメータもしくは第２の現像パラメータで、イメージセンサ１で規定される有効な画素領域のＲＡＷデータの現像及び圧縮を行い、記録用画像データとして第２の一時記憶エリア４１に保存するようにしても良い。
また、ＤＳＰ４は、記憶部５内の第２の一時記憶エリア４１に一時的に保存した画像データを、永久的に記憶可能な記録媒体７（例えば、フラッシュメモリ等）に記録する。
【００３９】
次に、第２の実施形態におけるデジタルカメラの動作について説明する。図７は、第２の実施形態におけるデジタルカメラの撮影動作に係る処理を示すフローチャートである。
【００４０】
ユーザーによりＴｖ値、Ａｖ値、ストロボの有無等の撮影条件の設定、及び現像パラメータ設定部３１を用いたホワイトバランス、コントラスト、エッジ強調等の現像パラメータの設定が行われる（Ｓ２０）。次に、ユーザーによりレリーズ釦を押下され撮影が指示されると、デジタルカメラは、イメージセンサ１により撮像を行う（Ｓ２１）。イメージセンサ１により撮像された画像は、Ａ／Ｄ変換器２等によりデジタル画像データへ変換された後に、ＲＡＷデータとして第１の一時記憶エリア４０に一時的に保存する（Ｓ２２）。
【００４１】
次に、ＤＳＰ４は、撮影画像の表示を表示部６にて行うために、第１の一時記憶エリア４０に一時的に保存されたＲＡＷデータを比較的高い圧縮率で現像及び圧縮を行う。ＤＳＰ４は、現像及び圧縮を行って得られる表示用画像（VIEW_IMAGE）データを第３の一時記憶エリア４２に一時的に保存する（Ｓ２３，Ｓ２４）。続いて、ＤＳＰ４は、現像及び圧縮を行って第３の一時記憶エリア４２に保存した表示用画像（VIEW_IMAGE）データに基づいて、撮影画像を表示部６に表示する（Ｓ２５）。
【００４２】
ユーザーは、表示部６に表示されたこの画像を認識した上で、現像処理範囲を設定する場合には画像エリア設定部８を用いて現像処理範囲の設定を行う。ＤＳＰ４は、ユーザーによる現像処理範囲の設定が行われたか否かを判断する（Ｓ２６）。
【００４３】
ステップＳ２６での判断の結果、現像処理範囲の設定が行われた場合には、ＤＳＰ４は、画像エリア設定部８により設定された画素領域を現像処理範囲として設定する（Ｓ２７）。
また、ユーザーは、初期設定された第１の現像パラメータとは異なる現像パラメータで現像を行う場合には、現像パラメータ設定部３１を用いて第２の現像パラメータの設定を行う。ＤＳＰ４は、ユーザーによる第２の現像パラメータの設定が行われたか否かを判断する（Ｓ２８）。
【００４４】
ステップＳ２８での判断の結果、第２の現像パラメータの設定が行われた場合には、ＤＳＰ４は、現像パラメータ設定部３１により設定された第２の現像パラメータを撮影画像の現像パラメータとして設定する（Ｓ２９）。そして、ＤＳＰ４は、第１の一時記憶エリア４０に一時的に保存された撮影画像のＲＡＷデータのうち、ステップＳ２７にて現像処理範囲として設定された特定の画素領域において、ステップＳ２９にて設定された第２の現像パラメータで現像及び圧縮を行う。ＤＳＰ４は、現像及び圧縮を行って得られる編集済記録用画像（Edit_IMAGE）データを第２の一時記憶エリア４１に保存する（Ｓ３０、Ｓ３１）。さらに、ＤＳＰ４は、第２の一時記憶エリア４１に保存された編集済記録用画像（Edit_IMAGE）データを記録媒体７（例えばフラッシュメモリ等のメディア）に記録する（Ｓ３２）。
【００４５】
また、ＤＳＰ４は、その一方で、第１の一時記憶エリア４０に保存された撮影画像のＲＡＷデータのうち、現像処理範囲として設定された特定の画素領域に対して比較的高い圧縮率で現像及び圧縮を行う。ＤＳＰ４は、前記現像及び圧縮を行って編集済表示用画像（Edit_VIEW_IMAGE）データを作成して、第３の一時記憶エリア４２に保存する（Ｓ３３、Ｓ３４）。そして、ＤＳＰ４は、第３の一時記憶エリア４２に保存した編集済表示用画像（VIEW_IMAGE）データに基づいて、撮影画像における設定された現像処理範囲のみを表示部６に表示する（Ｓ３５）。
【００４６】
ステップＳ２６での判断の結果、現像処理範囲が指定されていない場合には、ＤＳＰ４は、イメージセンサ１で規定された画素領域において初期の現像パラメータでＲＡＷデータの現像及び圧縮を行う。ＤＳＰ４は、現像及び圧縮を行って得られる編集済記録用画像（Edit_IMAGE）データとして第２の一時記憶エリア１６に保存する（Ｓ３６、Ｓ３７）。第２の一時記憶エリア１６に保存された編集済記録用画像（Edit_IMAGE）データを記録媒体７に記録する（Ｓ３８）。また、ＤＳＰ４は、ステップＳ２４にて第３の一時記憶エリア４２に保存した表示用画像（VIEW_IMAGE）データに基づいて、撮影画像を表示部６に表示する（Ｓ３９）。
【００４７】
ステップＳ２８での判断の結果、現像パラメータが変更されていない場合には、ＤＳＰ４は、第１の一時記憶エリア４０に一時的に保存された撮影画像のＲＡＷデータのうち、ステップＳ２７にて現像処理範囲として設定された特定の画素領域において、初期設定の現像パラメータでＲＡＷデータに対して現像及び圧縮を行った後、編集済記録用画像（Edit_IMAGE）データとして第２の一時記憶エリア４１に保存する（Ｓ４０、Ｓ４１）。そして、ＤＳＰ４は、第２の一時記憶エリア４１に保存された編集済記録用画像（Edit_IMAGE）データを記録媒体７へ記録する（Ｓ４２）。また、ＤＳＰ４は、その一方で、第１の一時記憶エリア４０に保存された撮影画像のＲＡＷデータのうち、現像処理範囲として設定された特定の画素領域に対して、初期設定の現像パラメータで比較的高い圧縮率で現像及び圧縮を行う。ＤＳＰ４は、前記現像及び圧縮を行って編集済表示用画像（Edit_VIEW_IMAGE）データを作成して、第３の一時記憶エリア４２に保存する（Ｓ４３、Ｓ４４）。そして、ＤＳＰ４は、第３の一時記憶エリア４２に保存した編集済表示用画像（Edit_VIEW_IMAGE）データに基づいて、撮影画像における設定された現像処理範囲のみを表示部６に表示する（Ｓ４５）。
【００４８】
第２の実施形態によれば、撮像した画像の中で記録したい画素領域のみを、最適な現像パラメータで現像及び圧縮し記録媒体７に記録することが可能となり、画像の品質を維持しながらも、記録媒体に対して従来よりも多くの画像を保存可能となる。したがって、撮影画像を劣化させることなく、最適な現像パラメータで現像した画像を所定容量の記録媒体に最大限の数で保存することができる。
【００４９】
また、例えば、現像パラメータ設定部３１によりユーザーの気に入った現像手法に応じた現像パラメータを設定すれば、撮像した画像にて記録に残したい画像領域のみを、ユーザーの気に入った現像手法で現像した画像を記録することができる。これにより、決められた容量の記録媒体に対して、従来よりも多くの画像を保存可能となるとともに、ユーザーの好みの色調やコントラスト等の画像のみを保存することが可能となる。
【００５０】
なお、第１及び第２の実施形態における画像エリア設定部８による現像処理範囲の設定、及び第２の実施形態における現像パラメータ設定部３１による現像パラメータの設定は、図４、図７においてその回数を１回としている。しかし、これは一例であり、ユーザーが所望の画像を得られるように、現像処理範囲の指定や現像パラメータの変更を複数回行うようにしても良いことは言うまでもない。
【００５１】
（その他の実施形態）
上述した実施形態は、装置又はシステム内のコンピュータ（ＣＰＵ又はＭＰＵ）で実行可能なコンピュータプログラムによって実現することもできる。この場合、上記コンピュータプログラムは、コンピュータ読み取り可能な記録媒体を介して上記装置又はシステムに供給される。上記コンピュータ読み取り可能な記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
また、コンピュータが供給されたコンピュータプログラムを実行することにより、上述の実施形態の機能が実現されるだけでなく、そのコンピュータプログラムがコンピュータにおいて稼働しているＯＳ（オペレーティングシステム）又は他のアプリケーションソフト等と共同して上述の実施形態の機能が実現される場合にもかかるコンピュータプログラムは本発明の実施形態に含まれることは言うまでもない。
さらに、供給されたコンピュータプログラムがコンピュータの機能拡張ボードやコンピュータに接続された機能拡張ユニットに備わるメモリに格納された後、そのコンピュータプログラムの指示に基づいてその機能拡張ボードや機能拡張ユニットに備わるＣＰＵ等が実際の処理の一部又は全部を行い、その処理によって上述した実施形態の機能が実現される場合にも本発明に含まれることは言うまでもない。
【００５２】
なお、上記実施形態は、何れも本発明を実施するにあたっての具体化のほんの一例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００５３】
【図１】第１の実施形態に係るデジタルカメラの構成例を示す図である。
【図２】第１の実施形態における撮影画像の流れを説明するための図である。
【図３】画素領域設定を説明するための図である。
【図４】第１の実施形態における撮影動作に係る処理を示すフローチャートである。
【図５】第２の実施形態に係るデジタルカメラの構成例を示す図である。
【図６】第２の実施形態における撮影画像の流れを説明するための図である。
【図７】第２の実施形態における撮影動作に係る処理を示すフローチャートである。
【符号の説明】
【００５４】
１  イメージセンサ
２  Ａ／Ｄ変換器
４  ＤＳＰ
５  記憶部
６  表示部
７  記録媒体
８  画像エリア設定部
３１  現像パラメータ設定部
【図１】
2008005350.tif 000003
【図２】
2008005350.tif 000004
【図３】
2008005350.tif 000005
【図４】
2008005350.tif 000006
【図５】
2008005350.tif 000007
【図６】
2008005350.tif 000008
【図７】
2008005350.tif 000009